(57)【要約】過酸化水素と有機化合物との反応開始方法であって、過酸化水素と有機化合物とを液相において触媒の存在下で接触させる工程を包含し、ａ）有機化合物が、アルコール、炭水化物、アルデヒド、ケトン、カルボン酸またはエーテルであり；ｂ）触媒が、第７、８、９、１０、または１１族遷移金属の少なくとも一種類を含有し；ｃ）Ｈ２Ｏ２：有機化合物中の原子炭素の比が、０．２：１〜６：１であり；かつｄ）存在する全ての水：有機化合物中の原子炭素の比が、０：１〜２：１である（但し、有機化合物はメタノールであったりメタノールを含有したりしない）、方法。【特許請求の範囲】
【請求項１】
過酸化水素と有機化合物とを触媒存在下において液相中で接触させる工程を包含する、過酸化水素と有機化合物との反応開始方法であって、
ａ）  該有機化合物が、アルコール、炭水化物、アルデヒド、ケトン、カルボン酸またはエーテルであり；
ｂ）  該触媒が、第７、８、９、１０または１１族遷移金属の少なくとも一種類を含有し；
ｃ）  Ｈ２Ｏ２：該有機化合物中の原子炭素の比が、０．２：１〜６：１であり；かつ
ｄ）  存在する全ての水：該有機化合物中の原子炭素の比が、０：１〜２：１であり；
但し、該有機化合物がメタノールであったりメタノールを含有したりしない、過酸化水素と有機化合物との反応開始方法。
【請求項２】
該金属が、ニッケル、コバルト、銅、銀、イリジウム、金、パラジウム、ルテニウム、ロジウムおよび白金の一種類以上から選択される、請求項１に記載の方法。
【請求項３】
該金属が白金である、請求項２に記載の方法。
【請求項４】
該金属が金属の形態である、請求項１〜３のいずれか一項に記載の方法。
【請求項５】
該触媒が一種類以上の触媒前駆体を含む、請求項１〜４のいずれか一項に記載の方法。
【請求項６】
該過酸化水素が、過酸化水素少なくとも２０ｖｏｌ％、好ましくは過酸化水素少なくとも３０ｗｔ％を含有する水溶液、過酸化水素少なくとも６ｖｏｌ％を含有するアルコール溶液またはユリアペレットの形態である、請求項１〜５のいずれか一項に記載の方法。
【請求項７】
該過酸化水素が、過酸化水素少なくとも５１ｖｏｌ％を含有する水溶液の形態である、請求項６に記載の方法。
【請求項８】
該過酸化水素が、過酸化水素少なくとも７０ｗｔ％を含有する水溶液の形態である、請求項７に記載の方法。
【請求項９】
該過酸化物と該有機化合物との反応が、水素、二酸化炭素、一酸化炭素、エタンおよび酸素の少なくとも一種類を製造する、請求項１〜８のいずれか一項に記載の方法。
【請求項１０】
該Ｈ２Ｏ２：該有機化合物中の原子炭素の比が０．５：１〜４：１、好ましくは１：１〜４：１である、請求項１〜９のいずれか一項に記載の方法。
【請求項１１】
該Ｈ２Ｏ２：該有機化合物中の原子炭素の比が１：１〜３：１である、請求項１０に記載の方法。
【請求項１２】
該有機化合物が、炭素原子数２〜６のアルコールまたは炭素原子数１〜６のアルデヒド、ケトン、カルボン酸もしくはエーテルである、請求項１〜１１のいずれか一項に記載の方法。
【請求項１３】
該有機化合物がエタノールである、請求項１２に記載の方法。
【請求項１４】
該有機化合物が、糖、デンプン、セルロース、フラワーもしくはガムまたはそれらの混合物である、請求項１〜１１のいずれか一項に記載の方法。
【請求項１５】
該糖が、グルコース、スクロース、フルクトースまたはマルトースである、請求項１４に記載の方法。
【請求項１６】
該反応が、
ＣＨ３ＣＨ２ＯＨ＋Ｈ２Ｏ２＋Ｈ２Ｏ→５Ｈ２＋２ＣＯ２
ＣＨ３ＣＨ２ＯＨ＋３Ｈ２Ｏ２→２ＣＯ２＋３Ｈ２Ｏ＋３Ｈ２
ＣＨ３ＣＨ２ＯＨ＋２Ｈ２Ｏ２→２ＣＯ２＋２Ｈ２Ｏ＋３Ｈ２Ｏ
ＣＨ３ＣＨ２ＯＨ＋Ｈ２Ｏ２→Ｈ２Ｏ＋２ＣＯ＋３Ｈ２
ＨＣＯＯＨ＋Ｈ２Ｏ２→２Ｈ２Ｏ＋ＣＯ２
ＨＣＯＯＨ＋０．５Ｈ２Ｏ２→０．５Ｈ２＋ＣＯ２＋１．５Ｈ２Ｏ
２ＣＨ３ＣＯＯＨ＋Ｈ２Ｏ２→２ＣＯ２＋２Ｈ２Ｏ＋Ｈ２
３ＣＨ３ＣＯＯＨ＋Ｈ２Ｏ２→３ＣＯ２＋２Ｈ２Ｏ＋２Ｈ２
４ＣＨ３ＣＯＯＨ＋Ｈ２Ｏ２→４ＣＯ２＋２Ｈ２Ｏ＋３Ｈ２
ＣＨ３ＣＯＯＨ＋Ｈ２Ｏ２→ＣＯ２＋２Ｈ２＋Ｈ２Ｏ＋ＣＯ
２ＣＨ３ＣＯＯＨ＋Ｈ２Ｏ２→２ＣＯ２＋４Ｈ２＋２ＣＯ
ＣＨ３ＣＯＯＨ＋２Ｈ２Ｏ２→ＣＯ２＋Ｈ２＋３Ｈ２Ｏ＋ＣＯ
ＣＨ３ＣＯＯＨ＋４Ｈ２Ｏ２→２ＣＯ２＋６Ｈ２Ｏ
ＣＨ３ＯＣＨ３＋Ｈ２Ｏ２→２ＣＯ＋３Ｈ２＋Ｈ２Ｏ
ＣＨ３ＯＣＨ３＋Ｈ２Ｏ２→ＣＯ＋４Ｈ２＋ＣＯ２
ＣＨ３ＯＣＨ３＋２Ｈ２Ｏ２→ＣＯ＋３Ｈ２＋Ｈ２Ｏ＋ＣＯ２
ＣＨ３ＯＣＨ３＋３Ｈ２Ｏ２→３Ｈ２＋２Ｈ２Ｏ＋２ＣＯ２
ＣＨ３ＯＣＨ３＋４Ｈ２Ｏ２→２Ｈ２＋４Ｈ２Ｏ＋２ＣＯ２
２ＣＨ２Ｏ＋Ｈ２Ｏ２→ＣＯ＋ＣＯ２＋Ｈ２Ｏ＋２Ｈ２
２ＣＨ２Ｏ＋Ｈ２Ｏ２→２ＣＯ２＋３Ｈ２
ＣＨ２Ｏ＋Ｈ２Ｏ２→ＣＯ２＋Ｈ２Ｏ＋Ｈ２
ＣＨ３ＣＨＯ＋Ｈ２Ｏ２→ＣＯ２＋ＣＯ＋３Ｈ２
ＣＨ３ＣＨＯ＋２Ｈ２Ｏ２→２ＣＯ２＋Ｈ２Ｏ＋３Ｈ２
ＣＨ３ＣＨＯ＋２Ｈ２Ｏ２→ＣＯ２＋ＣＯ＋２Ｈ２Ｏ＋２Ｈ２
ＣＨ３ＣＨＯ＋３Ｈ２Ｏ２→２ＣＯ２＋３Ｈ２Ｏ＋２Ｈ２
ＣＨ３ＣＨＯ＋４Ｈ２Ｏ２→２ＣＯ２＋５Ｈ２Ｏ＋Ｈ２
ＣＨ３ＣＨＯ＋５Ｈ２Ｏ２→２ＣＯ２＋７Ｈ２Ｏ
Ｃ６Ｈ１２Ｏ６＋１２Ｈ２Ｏ２→１８Ｈ２Ｏ＋６ＣＯ２
Ｃ６Ｈ１２Ｏ６＋１１Ｈ２Ｏ２→Ｈ２＋１６Ｈ２Ｏ＋６ＣＯ２→１７Ｈ２Ｏ＋ＣＯ＋５ＣＯ２
Ｃ６Ｈ１２Ｏ６＋１０Ｈ２Ｏ２→２Ｈ２＋１４Ｈ２Ｏ＋６ＣＯ２→１５Ｈ２Ｏ＋ＣＯ＋＋Ｈ２＋５ＣＯ２
Ｃ６Ｈ１２Ｏ６＋９Ｈ２Ｏ２→３Ｈ２＋１２Ｈ２Ｏ＋６ＣＯ２→１３Ｈ２Ｏ＋ＣＯ＋
２Ｈ２＋５ＣＯ２
Ｃ６Ｈ１２Ｏ６＋８１Ｈ２Ｏ２→４Ｈ２＋１ＯＨ２Ｏ＋６ＣＯ２→１１Ｈ２Ｏ＋ＣＯ＋３Ｈ２＋５ＣＯ２
Ｃ６Ｈ１２Ｏ６＋７１Ｈ２Ｏ２→５Ｈ２＋８Ｈ２Ｏ＋６ＣＯ２→９Ｈ２Ｏ＋ＣＯ＋
４Ｈ２＋５ＣＯ２
Ｃ６Ｈ１２Ｏ６＋６１Ｈ２Ｏ２→６Ｈ２＋６Ｈ２Ｏ＋６ＣＯ２→７Ｈ２Ｏ＋ＣＯ＋
５Ｈ２＋５ＣＯ２
Ｃ６Ｈ１２Ｏ６＋５１Ｈ２Ｏ２→７Ｈ２＋４Ｈ２Ｏ＋６ＣＯ２→５Ｈ２Ｏ＋ＣＯ＋
６５Ｈ２＋５ＣＯ２
Ｃ６Ｈ１２Ｏ６＋４１Ｈ２Ｏ２→８Ｈ２＋２Ｈ２Ｏ＋６ＣＯ２→３Ｈ２Ｏ＋ＣＯ＋
７Ｈ２＋５ＣＯ２
Ｃ６Ｈ１２Ｏ６＋３１Ｈ２Ｏ２→９Ｈ２＋６Ｈ２Ｏ＋６ＣＯ２→Ｈ２Ｏ＋ＣＯ＋８Ｈ２＋５ＣＯ２
の少なくとも一種類を包含する、請求項１〜１５のいずれか一項に記載の方法。
【請求項１７】
該開始が、２００℃未満、好ましくは８０℃未満の温度において行われる、請求項１〜１６のいずれか一項に記載の方法。
【請求項１８】
該開始が、３０℃未満の温度において行われる、請求項１７に記載の方法。
【請求項１９】
該開始が、室温付近またはそれ未満において行われる、請求項１８に記載の方法。
【請求項２０】
該開始が、反応物の加熱なしに行われる、請求項１〜１９のいずれか一項に記載の方法。
【請求項２１】
該存在する全ての水：該有機化合物中の原子炭素の比が０：１〜１．５：１である、請求項１〜２０のいずれか一項に記載の方法。
【請求項２２】
該存在する全ての水：該有機化合物中の原子炭素の比が０：１〜１：１である、請求項２１に記載の方法。
【請求項２３】
該有機化合物がエタノールであり、該存在する全ての水：該エタノール中の原子炭素の比が０：１〜１：１、好ましくは０：１〜０．５：１である、請求項１〜２２のいずれか一項に記載の方法。
【請求項２４】
該有機化合物が酢酸または蟻酸であり、該存在する全ての水：該エタノール中の原子炭素の比が０：１〜１．５：１、好ましくは０：１〜０．５：１である、請求項１〜２３のいずれか一項に記載の方法。
【請求項２５】
該反応が開始後に継続される、請求項１〜２４のいずれか一項に記載の方法。
【請求項２６】
該反応が改質反応であり、二酸化炭素、水素および任意に一酸化炭素を含有する生成物ストリームを製造するかまたは該反応が、ＣＯ、Ｏ２、Ｈ２および／またはＣＯの少なくとも一種類と共に蒸気およびＣＯ２を主生成物として含有する生成物ストリームを製造する、請求項２５に記載の方法。
【請求項２７】
該生成物ストリームを水の存在下で水性ガスシフト触媒に接触させることによって、製造される全ての一酸化炭素を二酸化炭素に転化する、請求項２６に記載の方法。
【請求項２８】
燃料電池中で行い、ロケットの動力を供給するか、エアバッグをふくらませるか、機械装置に圧力をかけるかまたは触媒排ガスコンバータもしくはＮＯｘ清浄器を迅速に始動する、請求項１〜２７のいずれか一項に記載の方法。
【請求項２９】
過酸化水素および有機化合物を含む貯蔵手段であって、該有機化合物がアルコール、炭水化物、アルデヒド、ケトン、カルボン酸またはエーテルであり、但し、該有機化合物がメタノールであったりメタノールを含有したりしない、貯蔵手段；
第７、８、９、１０または１１族遷移金属触媒の少なくとも一種類を含むハウジング；および
該過酸化物および有機化合物をハウジングの中に導入する手段
を備える、改質反応を行う器械。
【請求項３０】
該ハウジングが白金含有触媒を含む、請求項２５に記載の器械。
【請求項３１】
該ハウジングが、該白金含有触媒の下流に配置される水性ガスシフト触媒を更に含む、請求項２９または３０に記載の器械。
【請求項３２】
更に、該ハウジングの下流に燃料電池を備え、かつ該ハウジング中で製造される全ての水素を該燃料電池に移動する手段を備える、請求項２９〜３０のいずれか一項に記載の器械。
【発明の詳細な説明】
【技術分野】
【０００１】
本発明は、有機化合物と過酸化水素との反応を含みガス（例えば、高温ガス混合物）を製造する方法、特に、触媒を使用する方法に関する。この方法は、反応物が触媒に接触すると、好ましくは室温であっても自発的に開始することができる。
【背景技術】
【０００２】
水素または別のガスを製造するための炭化水素改質が当業者によく知られている。これらの反応は、しばしば蒸気改質（ｓｔｅａｍ  ｒｅｆｏｒｍｉｎｇ）、ドライ改質（ｄｒｙ  ｒｅｆｏｒｍｉｎｇ）または部分酸化を通じて起こる。この反応を開始するために、反応物をメタノールの場合少なくとも２００℃に、エタノールの場合少なくとも４００℃に加熱する必要がある。酸素を使用する部分酸化は、発熱反応であるが、２００℃またはそれ以上において初期化する必要があり、反応が開始した後、別の入熱なしに継続する。
【０００３】
未公開出願ＰＣＴ／ＧＢ２００５／０００４０１は、第７、８、９、１０または１１族遷移金属を含有する触媒を使用するメタノールと過酸化物との反応の開始を開示している。
【０００４】
公開先行技術において、固体触媒上の気相中で有機化合物と過酸化水素との反応を開始するために、反応物を２３０℃に加熱する。この反応は発熱性であり、反応開始後、わずかな入熱でまたは入熱なしで反応が連続しうる。しかしながら、過酸化水素は、そのような高温において、有機化合物と反応する前に、蒸気または液体水と酸素とに分解しうる。反応物をそのような高温に加熱せずに反応を開始することが望ましく、特に、反応が液相において起こりうるように、反応を反応物の沸点未満の温度において開始することが望ましい。直接加熱は非効率であり、場合によっては、例えば、移動乗物または携帯電化製品において反応物を反応させて水素を製造する場合、利用できない。更に、過酸化水素をそのような高温に加熱することは、過酸化水素が爆発性であるので危険である。
【発明の開示】
【発明が解決しようとする課題】
【０００５】
有機化合物（例えば、メタノールよりも長い炭素鎖を有するアルコールまたはカルボン酸）が過酸化水素と、最初に高温に加熱する必要なく、直接反応しうる方法を発見した。この方法は、特定の触媒および特定の開始条件を利用する。
【課題を解決するための手段】
【０００６】
従って、本発明は、過酸化水素と有機化合物との反応を開始する方法であって、過酸化水素と有機化合物とを、触媒の存在下、液相中で接触する工程を包含し、
ａ）  有機化合物が、アルコール、炭水化物、アルデヒド、ケトン、カルボン酸またはエーテルであり；
ｂ）  触媒が、第７、８、９、１０または１１族遷移金属の少なくとも一種類を含有し；
ｃ）  Ｈ２Ｏ２：有機化合物中の原子炭素の比が、０．２：１〜６：１、好ましくは０．５：１〜６：１であり；かつ
ｄ）  存在する全ての水：有機化合物中の原子炭素の比が、０：１〜２：１である；
（但し、有機化合物はメタノールであったりメタノールを含有したりしない。）
方法を提供する。
【０００７】
元素の周期表の族に言及すると、ＩＵＰＡＣの周期表を使用した。第７、８、９、１０および１１族遷移金属は、更に、第ＶＩＩＢ、ＶＩＩＩおよびＩＢ族遷移金属としても知られている。
【０００８】
開始が行われる圧力は、大気圧と同じか、大気圧未満か、または大気圧超でありうる。好ましくは、圧力は、大気圧と同じか、または大気圧超である。
【０００９】
本発明の方法において、有機化合物と過酸化水素との反応は、反応物を特定の触媒の存在下、液相において接触させることによって開始される。この反応は、同じ反応媒体中で起こる。従って、有機化合物と過酸化水素反応物とは、互いに同じ媒体中で接触し、膜（例えば、燃料電池膜）を横切らない。
【００１０】
驚くべきことに、反応を開始するために系に熱がほとんど提供される必要がないことがわかった。反応が開始された後、反応が発熱性である場合、有機化合物と過酸化物とは反応し続ける。反応が触媒なしに継続しうる場合、反応が開始された後に触媒が反応系に残る必要はないが、実際には、通常、触媒が除去されるよりもむしろその場にとどまる。
【００１１】
有機化合物は、アルコール、炭水化物、アルデヒド、ケトン、カルボン酸もしくはエーテルまたはそれらの二種類以上の混合物である。有機化合物は、固体である場合、望ましくは、反応開始時に反応媒体に可溶性である。アルコールは、例えば、Ｃ２〜Ｃ１２アルコール、例えば、Ｃ２〜Ｃ６アルコールでありうる。アルコールは、１、２、３またはそれ以上のヒドロキシル基を含みうる。好適なアルコールの例は、エタノール、イソプロパノール、ｎ−プロパノール、ブタノールおよびジオールおよびトリオール、例えばグリコールおよびグリセロールである。アルデヒドは、例えば、Ｃ１〜Ｃ１２アルデヒド、例えば、Ｃ１〜Ｃ４アルデヒドでありうる。好適なアルデヒドの例は、ホルムアルデヒド、アセトアルデヒドおよびプロパナールである。ケトンは、例えば、Ｃ３〜Ｃ１２ケトン、例えば、Ｃ３〜Ｃ６ケトンでありうる。好適なケトンの例は、アセトンである。カルボン酸は、例えば、Ｃ１またはＣ２〜Ｃ１２カルボン酸、例えば、Ｃ１またはＣ２〜Ｃ６カルボン酸でありうる。好適なカルボン酸の例は、蟻酸および酢酸である。エーテルは、例えば、Ｃ２〜Ｃ１２エーテル、例えば、Ｃ２〜Ｃ６エーテルでありうる。好適なエーテルの例は、ジエメルエーテル、メチルエチルエーテル、ジエチルエーテルおよびＣＨ３−Ｏ−Ｃ２Ｈ４−Ｏ−ＣＨ３である。
【００１２】
炭水化物は、例えば、糖、デンプン、セルロースまたはガムでありうる。好適な糖の例は、グルコース、スクロース、フルクトースおよびマルトースである。好適なデンプンの例は、可溶性デンプンおよび野菜由来のデンプン、例えば、ジャガイモデンプンまたはフラワー（ｆｌｏｕｒ）、例えば、穀物フラワーである。セルロースの例は、変性セルロース、例えば、ヒドロキシメチルセルロースおよびヒドロキシエチルセルロースである。ガムの例は、天然由来のガム、例えば、キサンタンガムまたはグアーガムである。これらの天然製品を使用する場合、それらを反応を開始する温度に予熱してもよい。この反応は、別の入熱なしに維持されうる。
【００１３】
フラワーまたは不溶性デンプンを使用する場合、通常、Ｈ２Ｏ２溶液と混合し、５０℃以上に加熱してゲルを形成する。
【００１４】
有機化合物は、それ自体でまたは別の成分（例えば、別のアルコールまたは炭化水素、例えば、Ｃ２〜Ｃ６アルコール、例えば、エタノール、プロパノールおよびブタノール、ガソリン、アルカン、例えば、ペンタンおよびヘキサン、ディーゼルまたは水）との混合物中で使用されうる。反応が発熱性であるので、一旦有機化合物と過酸化水素との反応が開始されると、別の成分、例えば、エタノール、ガソリンおよび／またはディーゼルと過酸化水素との反応または別の有機化合物と水との反応の開始を生じる熱が発生される。
【００１５】
アルコールと過酸化水素との反応は、例えば、存在する反応物の化学量論量に依存して変化しうる。例えば、反応は、
ＣＨ３ＣＨ２ＯＨ＋Ｈ２Ｏ２＋Ｈ２Ｏ→５Ｈ２＋２ＣＯ２
ＣＨ３ＣＨ２ＯＨ＋３Ｈ２Ｏ２→２ＣＯ２＋３Ｈ２Ｏ＋３Ｈ２
ＣＨ３ＣＨ２ＯＨ＋２Ｈ２Ｏ２→２ＣＯ２＋Ｈ２Ｏ＋４Ｈ２
ＣＨ３ＣＨ２ＯＨ＋Ｈ２Ｏ２→Ｈ２Ｏ＋２ＣＯ＋３Ｈ２
の少なくとも一種類を包含しうる。
【００１６】
Ｈ２Ｏ２対エタノールのモル比は、少なくとも０．２：１、特に０．２５：１でなければならない。
【００１７】
カルボン酸と過酸化水素との反応は、
２ＣＨ３ＣＯＯＨ＋Ｈ２Ｏ２→２ＣＯ２＋２Ｈ２Ｏ＋Ｈ２
３ＣＨ３ＣＯＯＨ＋Ｈ２Ｏ２→３ＣＯ２＋２Ｈ２Ｏ＋２Ｈ２
４ＣＨ３ＣＯＯＨ＋Ｈ２Ｏ２→４ＣＯ２＋２Ｈ２Ｏ＋３Ｈ２
ＣＨ３ＣＯＯＨ＋Ｈ２Ｏ２→ＣＯ２＋２Ｈ２＋Ｈ２Ｏ＋ＣＯ
２ＣＨ３ＣＯＯＨ＋Ｈ２Ｏ２→２ＣＯ２＋４Ｈ２＋２ＣＯ
ＣＨ３ＣＯＯＨ＋２Ｈ２Ｏ２→ＣＯ２＋Ｈ２＋３Ｈ２Ｏ＋ＣＯ
ＨＣＯＯＨ＋Ｈ２Ｏ２→２Ｈ２Ｏ＋ＣＯ２
ＨＣＯＯＨ＋０．５Ｈ２Ｏ２→１．５Ｈ２Ｏ＋ＣＯ２＋０．５Ｈ２
ＣＨ３ＣＯＯＨ＋４Ｈ２Ｏ２→２ＣＯ２＋６Ｈ２Ｏ
の少なくとも一種類を包含しうる。
【００１８】
Ｈ２Ｏ２：原子炭素の比は、０．２：１〜６：１、好ましくは０．５：１〜６：１、より好ましくは０．５：１〜４：１である。
【００１９】
エーテルと過酸化水素との反応は、
ＣＨ３ＯＣＨ３＋Ｈ２Ｏ２→２ＣＯ＋３Ｈ２＋Ｈ２Ｏ
ＣＨ３ＯＣＨ３＋Ｈ２Ｏ２→ＣＯ＋４Ｈ２＋ＣＯ２
ＣＨ３ＯＣＨ３＋２Ｈ２Ｏ２→ＣＯ＋３Ｈ２＋Ｈ２Ｏ＋ＣＯ２
ＣＨ３ＯＣＨ３＋３Ｈ２Ｏ２→３Ｈ２＋２Ｈ２Ｏ＋２ＣＯ２
ＣＨ３ＯＣＨ３＋４Ｈ２Ｏ２→２Ｈ２＋４Ｈ２Ｏ＋２ＣＯ２
の少なくとも一種類を包含しうる。
【００２０】
アルデヒドと過酸化水素との反応は、
２ＣＨ２Ｏ＋Ｈ２Ｏ２→ＣＯ＋ＣＯ２＋Ｈ２Ｏ＋２Ｈ２
２ＣＨ２Ｏ＋Ｈ２Ｏ２→２ＣＯ２＋３Ｈ２
ＣＨ２Ｏ＋Ｈ２Ｏ２→ＣＯ２＋Ｈ２Ｏ＋Ｈ２
ＣＨ３ＣＨＯ＋Ｈ２Ｏ２→ＣＯ２＋ＣＯ＋３Ｈ２
ＣＨ３ＣＨＯ＋２Ｈ２Ｏ２→２ＣＯ２＋Ｈ２Ｏ＋３Ｈ２
ＣＨ３ＣＨＯ＋２Ｈ２Ｏ２→ＣＯ２＋ＣＯ＋２Ｈ２Ｏ＋２Ｈ２
ＣＨ３ＣＨＯ＋３Ｈ２Ｏ２→２ＣＯ２＋３Ｈ２Ｏ＋２Ｈ２
ＣＨ３ＣＨＯ＋４Ｈ２Ｏ２→２ＣＯ２＋５Ｈ２Ｏ＋Ｈ２
ＣＨ３ＣＨＯ＋５Ｈ２Ｏ２→２ＣＯ２＋７Ｈ２Ｏ
の少なくとも一種類を包含しうる。
【００２１】
グルコースと水素残基との反応は、
Ｃ６Ｈ１２Ｏ６＋１２Ｈ２Ｏ２→１８Ｈ２Ｏ＋６ＣＯ２
Ｃ６Ｈ１２Ｏ６＋１１Ｈ２Ｏ２→Ｈ２＋１６Ｈ２Ｏ＋６ＣＯ２→１７Ｈ２Ｏ＋ＣＯ＋５ＣＯ２
Ｃ６Ｈ１２Ｏ６＋１０Ｈ２Ｏ２→２Ｈ２＋１４Ｈ２Ｏ＋６ＣＯ２→１５Ｈ２Ｏ＋ＣＯ＋＋Ｈ２＋５ＣＯ２
Ｃ６Ｈ１２Ｏ６＋９Ｈ２Ｏ２→３Ｈ２＋１２Ｈ２Ｏ＋６ＣＯ２→１３Ｈ２Ｏ＋ＣＯ＋
２Ｈ２＋５ＣＯ２
Ｃ６Ｈ１２Ｏ６＋８１Ｈ２Ｏ２→４Ｈ２＋１ＯＨ２Ｏ＋６ＣＯ２→１１Ｈ２Ｏ＋ＣＯ＋３Ｈ２＋５ＣＯ２
Ｃ６Ｈ１２Ｏ６＋７１Ｈ２Ｏ２→５Ｈ２＋８Ｈ２Ｏ＋６ＣＯ２→９Ｈ２Ｏ＋ＣＯ＋
４Ｈ２＋５ＣＯ２
Ｃ６Ｈ１２Ｏ６＋６１Ｈ２Ｏ２→６Ｈ２＋６Ｈ２Ｏ＋６ＣＯ２→７Ｈ２Ｏ＋ＣＯ＋
５Ｈ２＋５ＣＯ２
Ｃ６Ｈ１２Ｏ６＋５１Ｈ２Ｏ２→７Ｈ２＋４Ｈ２Ｏ＋６ＣＯ２→５Ｈ２Ｏ＋ＣＯ＋
６５Ｈ２＋５ＣＯ２
Ｃ６Ｈ１２Ｏ６＋４１Ｈ２Ｏ２→８Ｈ２＋２Ｈ２Ｏ＋６ＣＯ２→３Ｈ２Ｏ＋ＣＯ＋
７Ｈ２＋５ＣＯ２
Ｃ６Ｈ１２Ｏ６＋３１Ｈ２Ｏ２→９Ｈ２＋６Ｈ２Ｏ＋６ＣＯ２→Ｈ２Ｏ＋ＣＯ＋８Ｈ２＋５ＣＯ２
の少なくとも一種類を包含しうる。
【００２２】
一態様において、有機化合物と過酸化水素との反応によって発生された熱を使用して改質反応を推進する。有機化合物と過酸化水素との反応を使用して改質反応に必要ないくつかのまたは全ての熱を提供し、わずかな更なる加熱でまたは更なる加熱なしに改質反応が行われるようにしうる。一態様において、有機化合物と過酸化水素との反応によって、改質反応を推進するのに必要な熱の少なくとも５０％、好ましくは少なくとも８０％、より好ましくは少なくとも９５％、更に好ましくは１００％を提供する。
【００２３】
改質工程に必要とされる水を反応に添加するかまたはその場で、例えば、有機化合物と過酸化物との反応の結果として、製造してもよい。
【００２４】
この改質反応は、有機化合物と過酸化水素および／または水との直接改質反応でありうる。代わりにまたは更に、この改質工程において一種類以上の別の有機化合物を改質してもよい。改質されうる化合物の例としては、アルコールおよび炭化水素が挙げられる。好適なアルコールとしては、Ｃ１またはＣ２〜Ｃ８アルコール、好ましくは、Ｃ１〜Ｃ４またはＣ２〜Ｃ４アルコール、例えば、エタノール、プロパノールおよびブタノールが挙げられる。好適な炭化水素としては、アルカン、例えばＣ１〜Ｃ３０アルカン、例えば、Ｃ１〜Ｃ２５アルカンが挙げられる。好適なアルカンの例としては、メタン、エタン、プロパン、ブタン、ペンタン、ヘキサン、ヘプタン、オクタンおよびそれらの混合物が挙げられる。ガソリンおよび／またはディーゼルも更に改質されうる。改質を行い、水素および二酸化炭素を、任意に一酸化炭素と共に形成しうる。メタンも更に生成物ストリーム中に、例えば、副生成物として存在しうる。
【００２５】
要すれば、この改質反応において製造される全ての一酸化炭素を、水性ガスシフト反応において水と反応させ、二酸化炭素と水素に転化しうる。従って、改質反応は、任意に水性ガスシフト反応の前駆反応として行われてもよい。この水性ガスシフト反応に必要とされる水は、改質工程の生成物に添加されても、改質工程または有機化合物と過酸化水素との反応由来の残留水であってもよい。
【００２６】
水性ガスシフト反応は、好適な反応条件下において、水性ガスシフト好適触媒を使用して行われうる。例えば、温度１５０〜６００℃、好ましくは２００〜５００℃、例えば２００〜２５０℃または３００〜４５０℃が用いられうる。好適な水性ガスシフト触媒としては、銅および／または亜鉛ベースの、任意に支持体上に支持されていてもよい、触媒が挙げられる。例としては、Ｃｕ／Ｚｎ／Ａｌ２Ｏ３およびＣｕＯ／Ｍｎ／ＺｎＯが挙げられる。水性ガスシフト反応に必要な熱は、少なくとも部分的に有機化合物と過酸化水素との発熱反応によって提供されうる。
【００２７】
水性ガスシフト反応後に残る残留ＣＯは、例えば、膜分離、選択的酸化またはメタン化によって除去されうる。選択的酸化に関して、酸素は、例えば、気体酸素またはＨ２Ｏ２蒸気によって提供されうる。
【００２８】
本発明の別の側面によると、改質反応を行う器械であって、
過酸化水素および有機化合物を含み、有機化合物がアルコール、炭水化物、アルデヒド、ケトン、カルボン酸またはエーテルである（但し、有機化合物はメタノールであったりメタノールを含有したりしない。）、貯蔵手段；
第７、８、９、１０または１１族遷移金属触媒の少なくとも一種類、好ましくは白金含有触媒を含むハウジング；および
過酸化水素および有機化合物をハウジングの中に導入する手段；
を備える器械が提供される。
【００２９】
有機化合物および過酸化水素は、好ましくは別々の貯蔵手段に貯蔵されるが、一緒に貯蔵されてもよい。
【００３０】
使用において、有機化合物および過酸化水素を貯蔵手段からハウジングの中に移動させ、触媒と接触させる。液相において反応物を触媒と接触させることによって有機化合物と過酸化物との反応を開始する。上記のように、反応を開始するためにこのシステムに熱を提供する必要がほとんどないかまたは全くない。この反応は発熱反応であるので、反応開始後、有機化合物と過酸化物は反応を継続する。
【００３１】
有機化合物と過酸化水素との反応によって発生される熱を少なくとも部分的に使用して改質反応を推進する。例えば、改質反応を推進するのに必要な熱の少なくとも５０％、好ましくは、少なくとも８０％、より好ましくは、少なくとも９５％、更により好ましくは１００％を有機化合物と過酸化物との反応によって提供する。従って、本発明の器械は改質反応を加熱する別の手段を含む必要がない。
【００３２】
ハウジングの中に導入される反応物供給も、更に、加熱される必要がない。
【００３３】
改質反応用の水は、ハウジングの中に導入され、かつ／またはその場で、例えば有機化合物と過酸化水素との反応の結果として、発生されうる。
【００３４】
一態様において、有機化合物の少なくとも一部が改質される。代わりにまたは更に、有機化合物と過酸化水素との反応によって発生される熱を使用して、少なくとも一種類の別の有機化合物（この化合物は、好ましくは入口を通じてハウジングの中に導入される）を改質する。一態様において、この器械は有機化合物の貯蔵手段を含みうる。代わりにまたは更に、有機化合物を開始に使用される有機化合物と共に貯蔵してもよい。
【００３５】
改質される有機化合物は、アルコールおよび／または炭化水素でありうる。好適なアルコールおよび炭化水素の例は、上に記載されている。
【００３６】
上記のように、改質反応は、水素および二酸化炭素を含有する生成物ストリームを製造しうる。生成物ストリーム、および特に製造される水素をハウジングから回収し、好適な目的に使用しうる。一態様において、例えば、改質反応において製造される水素を使用して燃料電池を作動しうる。従って、本発明の器械を燃料電池と組み合わせて使用してもよい。
【００３７】
改質反応は、更に、一酸化炭素および前記生成物、例えば、アルカンまたはオレフィン、を製造しうる。水性ガスシフト反応を使用して、製造される全ての一酸化炭素を二酸化炭素および水素に転化しうる。従って、この器械のハウジングは、好ましくは第７、８、９、１０または１１族遷移金属の少なくとも一種類を含有する触媒の下流に配置される水性ガスシフト触媒を含む。好適な水性ガスシフト触媒は、上に記載されている。水性ガスシフト反応由来の生成物ストリームは、典型的には、改質反応から現れる生成物ストリームよりも水素リッチである。一態様において、この水素富化生成物ストリームを直接または間接的に使用して燃料電池を作動する。
【００３８】
第７、８、９、１０または１１族遷移金属の少なくとも一種類を含有する触媒および／または水性ガスシフト触媒を、必要な時にハウジングから取り外し交換しうる取り外し可能な挿入物の形態で提供してもよい。
【００３９】
本発明の方法および器械において用いられる過酸化水素は、いずれの好適な形態であってもよい。要すれば、有機過酸化物と共に使用してもよい。
【００４０】
過酸化水素は、純粋な形態で使用されうるが、好ましくは溶液、特に水溶液またはアルコール溶液において使用される。過酸化水素は、更に、ペレット、例えばユリアペレットの形態であってもよい。一般的に、過酸化水素は、過酸化水素少なくとも６ｖｏｌ％、好ましくは過酸化水素８ｖｏｌ％、より好ましくは少なくとも１０ｖｏｌ％、更に好ましくは１５ｖｏｌ％、更により好ましくは２０〜９０ｖｏｌ％、例えば、２０〜８０ｖｏｌ％、最も好ましくは２５〜６０ｖｏｌ％を含有する水溶液、アルコール溶液またはペレットにおいて使用される。
【００４１】
しかしながら、開始時に反応混合物中に存在する水の量が正確に制御されなければならないことがわかった。存在する水（Ｈ２Ｏ分子として測定。）  対  有機化合物中の原子炭素（有機化合物の分子数に各分子中の炭素原子数を乗じて測定。）の比は、０：１〜２：１、好ましくは１．５：１以下、より好ましくは１：１以下、更に好ましくは０．５：１でなければならない。水の量は、例えば、過酸化水素を水溶液の形態で使用しないようにすることによって制御されうる。水溶液の形態である場合、好ましくは、例えば、容積に基づいて過酸化水素少なくとも３０ｖｏｌ％、好ましくは少なくとも５１ｖｏｌ％、最も好ましくは少なくとも７０ｖｏｌ％を含有する、濃溶液の形態である。
【００４２】
過酸化水素および有機化合物は、過酸化水素対有機化合物中の原子炭素として測定（上記のように）すると、０．２：１〜６：１、好ましくは０．５：１〜６：１の比において存在する。好ましくは、この比は、０．５：１〜４：１、より好ましくは１：１〜４：１、更に好ましくは１：１〜３：１、最も好ましくは１：１〜２：１である。
【００４３】
要すれば、別の溶媒、例えば、水または有機溶媒、が存在してもよい。水は、好ましくは液相において使用される。反応物を液相において接触させ、これは有機化合物と過酸化水素の両方であり、液相である。もちろん、次の反応中、熱の存在のため、一種類以上の反応物が少なくとも部分的に気相であってもよい。要すれば、別のガス（例えば、酸素含有ガス、例えば、空気）が存在してもよい。従って、有機化合物と過酸化水素との反応は、有機化合物と、過酸化水素と、酸素との反応であってもよい。
【００４４】
改質反応は、過熱蒸気およびＣＯ２と微量のＨ２、Ｏ２、ＣＨ４および／またはＣＯを含有する生成物ストリームを製造しうる。このガス混合物は、水と混合されて好適な蒸気を製造するかまたは、機械ツール、機械もしくは乗物を駆動するためにまたは蒸気タービンもしくは発電機に使用されうる。
【００４５】
触媒は、第７、８、９、１０または１１族遷移金属を含有する。従って、触媒は、Ｆｅ、Ｃｏ、Ｎｉ、Ｃｕ、Ｔｃ、Ｒｕ、Ｒｈ、Ｐｄ、Ａｇ、Ｒｅ、Ｏｓ、Ｉｒ、ＰｔおよびＡｕの一種類以上を含有する。好ましくは、金属は、周期表の第８、９、１０および／または１１族から選択される。好適な第８、９、１０または１１族金属としては、Ｎｉ、Ｃｏ、Ｃｕ、Ａｇ、Ｉｒ、Ａｕ、Ｐｄ、Ｒｕ、ＲｈおよびＰｔが挙げられる。金属は、好ましくは白金である。二種類以上の金属の組み合わせが触媒中に存在してもよい。
【００４６】
触媒は、好ましくは、例えば、アルカリ金属、アルカリ土類金属、希土類または別の遷移金属の酸化物一種類以上で促進される。好適な促進剤の例は、金属、酸化物または塩の形態のＳｎ、Ｎｉ、Ａｇ、Ｚｎ、Ａｕ、Ｐｄ、Ｍｎおよび別の遷移金属である。触媒を、更に、別の成分、例えば、ホウ素、燐、シリカ、セリウムまたはテルルの一種類以上で変性してもよい。
【００４７】
金属は、金属形態または合金形態で使用されうる。触媒として効果的に作用するために、金属は、当業者によく知られているように、望ましくは、粒径の小さな粒子の形態である。触媒は、支持されていなくてもよい。しかしながら、望ましくは、触媒は支持されている。例えば、一態様において、触媒は反応容器またはチューブの側面または不活性粒子支持体に支持されている。例えば、微細ニッケルまたは白金粒子は、ＦＩＤ検出用のＧＣにおけるメタン化のためのステンレス鋼チューブにおける中間層にめっきされうる。
【００４８】
支持体は、所望の反応における触媒を支えうるいずれの支持体であってもよい。そのような支持体は、当業者によく知られている。支持体は、不活性支持体であっても活性支持体であってもよい。好適な支持体の例としては、炭素支持体および／または固体酸化物、例えば、アルミナ、変性アルミナ、スピネル酸化物、シリカ、変性シリカ、マグネシア、チタニア、ジルコニア、ゼオライト、β−アルミン酸塩および酸化マンガン、酸化ランタンまたはそれらの組み合わせが挙げられる。アルミナまたは変性アルミナは、例えば、α−アルミナ、β−アルミナまたはγ−アルミナでありうる。β−アルミナおよびスピネル酸化物、例えばバリウムヘキサアルミネートが、それらの安定性を考慮して特に有用であることがわかった。炭素は、例えば、活性炭、グラファイトまたはカーボンナノチューブの形態でありうる。モレキュラーシーブ、例えば、ゼオライト、を所望の最終生成物に依存して選択しうる。従って、例えば、孔またはチャネルを備えうる。亜リン酸塩、臭化物、硫化物および／または金属支持体もまた好適でありうる。
【００４９】
好ましくは、支持体は、多孔質である。粒径は、望ましくは、０．１μｍ〜１０ｍｍ、より好ましくは０．２μｍ〜０．４ｍｍである。表面積は、望ましくは、１ｍ２／ｇ超、好ましくは５ｍ２／ｇ超である。支持体一種類または二種類以上の混合物が使用されうる。
【００５０】
触媒として用いられる金属は、更に、錯体またはそれらの配合物の形態であってもよい。例は、白金カルボニル錯体、アルミニウム白金ナイトレートおよび白金メトキシ錯体、および配位子（例えば、塩素、ホスフィンまたは有機芳香族種、例えば、ベンゼンまたはシクロペンタジエン）を有する白金錯体、例えば、（ＣＯ）５ＣＯ２（ＣＯ）２Ｐｔ２（ＣＯ）（ＰＰｈ３）２またはＰｔ３（ＣＯ）２（ＰＰｈ３）４である。
【００５１】
好ましくは、触媒は、支持触媒、特に、アルカリ金属、アルカリ土類金属、希土類または別の遷移金属の酸化物少なくとも一種類によって促進される白金含有触媒である。
【００５２】
使用前に、触媒は、要すれば、例えば、水素または水素含有ガスで活性化されうる。
【００５３】
支持金属触媒を製造しうる方法は、例えば、Ｃａｔａｌｙｓｉｓ  Ｔｏｄａｙ、１９９９年、第５１巻、５３５頁、Ｃａｔａｌｙｓｉｓ  Ｔｏｄａｙ、２００３年、第７７巻、２２９頁、ＤＥ−Ａ−１９  ８４１  ２２７、ＤＥ−Ａ−３，３４０，５６９およびＤＥ−Ａ−３，５１６，５８０に記述されている。好適な方法は、例えば、含浸、イオン交換またはゾル−ゲル法である。例えば、支持体（例えば、ジルコニア、アルミナまたはシリカ）を乾燥し、次に、第７、８、９、１０または１１族遷移金属塩、例えば硝酸塩、例えば、（ＮＨ４）２Ｐｔ（ＮＯ３）４、Ｐｄ（ＮＯ３）２、Ｃｕ（ＮＯ３）２、Ｃｏ（ＮＯ３）２またはＲｕ（ＮＯ）（ＮＯ３）２の溶液で含浸するかまたはその溶液と混合し、乾燥し、（例えば、温度約４００℃で）焼成して触媒前駆体を得る。次に、触媒前駆体を、例えば、２００℃以上の水素流において、還元する。更に、塩化物塩を使用してもよいが、触媒として使用する前に残留塩化物を完全に除去しなければならない。
【００５４】
開始は、望ましくは、室温付近（例えば、約２０℃）において行われうる。好ましくは、反応物の加熱や別の開始源の提供をせずに開始を行う。しかしながら、要すれば、熱を提供して、例えば、過酸化物と天然可溶性生成物（例えば、糖、デンプン、小麦粉またはライスフラワー）との反応を促進してもよいが、供給される熱の量はあまり大きくなくてよい。従って、一方または両方の反応物、または反応混合物は、例えば、７００℃未満、好ましくは１００℃未満、より好ましくは８０℃未満、より好ましくは５０℃未満、更に好ましくは３０℃未満である。
【００５５】
更に、反応は、別の触媒の存在下においても行われうる。例えば、改質反応において、ＣＯ含量を１０ｐｐｍ未満に減らすために水性ガスシフト触媒および選択的酸化触媒を使用してもよい。そのような場合、Ｈ２Ｏ２：有機化合物比は、一般的に３未満である。
【００５６】
有機化合物と過酸化水素との反応は、多くの用途を有する。例えば、推進力が必要とされる場合（例えば、ロケットに関してまたは衛星操縦に関して）、この有機化合物と過酸化水素との反応を使用しうる。この反応は、更に、例えば、自己触媒開始のためのまたはエンジンに動力を供給するための、熱を発生するために使用されうる。
【００５７】
水素を製造するとき、例えば密閉または圧力容器中で反応を行うことによって、利用可能な大気酸素の量を制限することが重要である。
【００５８】
水素を製造するとき、水素それ自身を別の方法（例えば、燃料電池）において使用しうる。望ましくは、本発明の方法を、燃料電池においてまたは燃料電池に関連して行い、水素を次の反応に提供するかまたは（例えば、エアバッグをふくらませる用途に関して）ガスおよび／または熱のすばやい発生を提供するか、機械装置、例えば液圧応用機械もしくはリフトに圧力をかけるか、または触媒排ガスコンバータもしくはＮＯｘ清浄器の迅速な始動のためにか、またはモーターの駆動のためにか、電気を発生させるためにか、または消毒もしくは汚染除去のために使用しうる。
【実施例】
【００５９】
これから、本発明を更に以下の実施例に記述する。
【００６０】
触媒製造の詳細は以下の通りである。
【００６１】
支持体、例えば、ＺｒＯ２（Ｓａｉｎｔ  Ｇｏｂａｉｎ  Ｎｏｒｐｒｏ）、γ−Ａｌ２Ｏ３（Ａｋｚｏ−Ｎｏｂｅｌ）、シリカ（Ａｌｄｒｉｃｈ）、ＭＣＭ−４１（水熱法を使用して自己生産）、αアルミナ（Ｓｙｎｅｔｉｘ）を最初に１００℃において乾燥し、次に等容積１Ｍ  ＮａＯＨ溶液に含浸し、１００℃において２時間乾燥し、６００℃において４時間焼成して変性支持体を得る。これらを次に（ＮＨ４）２Ｐｔ（ＮＯ３）４、Ｐｄ（ＮＯ３）２、Ｃｕ（ＮＯ３）２、またはＲｕ（ＮＯ）（ＮＯ３）２の溶液または混合溶液に周囲条件下において含浸し、１００℃において乾燥し、次に４００℃において焼成して触媒前駆体を得る。触媒を改質反応に使用する前に、触媒前駆体を水素流で２００℃以上において１時間還元する。改質反応において、この触媒を水性ガスシフト触媒の触媒層上に加え（ｌａｏｄ）てＣＯ濃度を減らす。触媒を最初に水素流（８ｍｌ／分）を使用して２℃／分の速度において３００℃まで加熱し、１時間保持し、次に水素流中で室温に冷却して還元する。
【００６２】
以下の実施例において言及する有機化合物と過酸化水素水溶液との予備混合物をガラスフラスコ中に貯蔵し、次に、上記のように製造される改質触媒０．１ｇの層および水性ガスシフト触媒（ＣｕＺｎＡｌＯｘ（０．２ｇ））の下層を含む９ｍｍ（外径）石英反応器に液体を０．２ｍｌ／分の速度でポンピングする。この液体が触媒に接触すると、ガスが自発的に製造される。
【００６３】
実施例１
蟻酸と過酸化水素との混合物を２ｗｔ％Ｐｔ／Ｎａ２Ｏ／ＺｒＯ２  ０．１ｇにポンピングする（ＣＨＯＯＨ／Ｈ２Ｏ２／Ｈ２Ｏ＝１：０．６：０．４；流速：０．２ｍｌ／分；室温において開始）。水素ガスが直ちに製造され、触媒床の温度は１５０℃〜２５０℃に上昇し、外部加熱なしにこの範囲に維持される。
【００６４】
生成物の分析は、水、水素、二酸化炭素および一酸化炭素を生成物として示す。水素収率は９９．８％超である。蟻酸転化率は１００％である。
【００６５】
実施例２
酢酸と過酸化水素との混合物を２ｗｔ％Ｐｔ／ＺｒＯ２  ０．１ｇにポンピングする（ＣＨ３ＣＯＯＨ／Ｈ２Ｏ２／Ｈ２Ｏ＝１：２：０．８；流速：０．２ｍｌ／分；室温において開始）。水素ガスが直ちに製造され、触媒床の温度は２５０℃〜３００℃に上昇し、外部加熱なしにこの範囲に維持される。
【００６６】
生成物の分析は、水、水素、一酸化炭素、メタンおよび二酸化炭素を生成物として示す。水素収率は９９．５％超である。ＣＯ２のうちいくつかはＮａＯＨ溶液コンデンサによって吸着される。
【００６７】
実施例３
エタノールと過酸化水素との混合物を２ｗｔ％Ｐｔ／ＺｒＯ２  ０．１ｇにポンピングする（ＣＨ３ＣＯＯＨ／Ｈ２Ｏ２／Ｈ２Ｏ＝１：２：０．８；流速：０．２ｍｌ／分；室温において開始）。水素ガスが直ちに製造される。定常状態における温度は約６００℃であり、外部加熱なしにおよそこの温度に維持される。
【００６８】
主生成物は水素および二酸化炭素である。水素収率は９５％である。製造される微量のオレフィンとメタンとが存在する。
【００６９】
実施例４
エタノールと過酸化水素との混合物を１ｗｔ％Ｐｔ／Ａｌ２Ｏ３  ０．１ｇにポンピングする（ＣＨ３ＣＨ２ＯＨ／Ｈ２Ｏ２／Ｈ２Ｏ＝１：２．５：１．１；流速：０．２ｍｌ／分；室温において開始）。水素ガスが直ちに製造され、定常状態における温度は約５８０℃であり、外部加熱なしにおよそこの温度に維持される。
【００７０】
主生成物は、水素および二酸化炭素である。水素収率は９４％である。製造される微量のオレフィンとメタンとが存在する。
【００７１】
実施例５
エタノールと過酸化水素との混合物を０．９ｗｔ％Ｐｔ０．２Ｐｄ／０．５ＮａＯ／ＺｒＯ２  ０．１ｇにポンピングする（ＣＨ３ＣＨ２ＯＨ／Ｈ２Ｏ２／Ｈ２Ｏ＝１：３：１．２；流速：０．２ｍｌ／分；室温において開始）。水素ガスが直ちに製造され、定常状態における温度は約５２０℃であり、外部加熱なしにおよそこの温度に維持される。
【００７２】
主生成物は、水素および二酸化炭素である。水素収率は９２％であり、エタノール転化率は９６％である。製造される微量のオレフィンとメタンとが存在する。
【００７３】
実施例６
アルデヒドと過酸化水素との混合物を０．９ｗｔ％Ｐｔ／５．６ＣｕＯ／ＺｒＯ２  ０．１ｇにポンピングする（ＣＨ３ＣＨＯ／Ｈ２Ｏ２／Ｈ２Ｏ＝１：２．６：１．２；流速：０．１５ｍｌ／分；室温において開始）。水素ガスが直ちに製造される。定常状態における温度は約６００℃であり、外部加熱なしにおよそこの温度に維持される。
【００７４】
主生成物は、水素および二酸化炭素である。水素収率は９２％であり、アルデヒド転化率は９３％である。製造される微量のオレフィンとメタンとが存在する。
【００７５】
実施例７
エタノールと過酸化水素との混合物を１．５ｗｔ％Ｐｔ／２．５Ｎａ２Ｏ／ＺｒＯ２  ０．１ｇにポンピングする（ＣＨ３ＣＨＯ／ＣＨ３ＣＯＯＨ／Ｈ２Ｏ２／Ｈ２Ｏ＝１：０．５：２：１；流速：０．２ｍｌ／分；室温において開始）。水素ガスが直ちに製造される。定常状態における温度は約５４０℃であり、外部加熱なしにおよそこの温度に維持される。
【００７６】
主生成物は、水素および二酸化炭素である。水素収率は９０％であり、エタノール転化率は９１％である。製造される微量のオレフィンとメタンとが存在する。
【００７７】
実施例８
メチルエチルエーテルと過酸化水素との混合物を２ｗｔ％Ｐｔ／α−Ａｌ２Ｏ３  ０．０９ｇにポンピングする（ＣＨ３ＣＨ２ＯＣＨ３／Ｈ２Ｏ２／Ｈ２Ｏ＝１：３：１．２；流速；０．２ｍｌ／分；室温において開始）。水素ガスが直ちに製造される。定常状態における温度は約５４０℃であり、外部加熱なしにおよそこの温度に維持される。
【００７８】
主生成物は、水素および二酸化炭素である。水素収率は８５％であり、メチルエチルエーテル転化率は９０％である。製造される微量のオレフィンとメタンとが存在する。
【００７９】
実施例９
エタノールとオクタンとの混合物（ガソリンに相当）および過酸化水素を３ｗｔ％Ｐｔ／Ｋ２Ｏ変性ＺｒＯ２  ０．１ｇ上にポンピングする（ＣＨ３ＣＨ２ＯＨ／オクタン／Ｈ２Ｏ２／Ｈ２Ｏ＝１：０．０７：４：１．８；流速：０．３ｍｌ／分；室温において開始）。水素ガスが直ちに製造される。定常状態における温度は約９００℃であり、外部加熱なしにおよそこの温度に維持される。
【００８０】
主生成物は、水素および二酸化炭素である。水素収率は８５％であり、エタノール転化率は９９．５％である。オクタン転化率は９８％である。製造される微量のオレフィンとメタンとが存在する。
【００８１】
実施例１０
エタノール、アセトン、およびセタン（ディーゼルに相当）および過酸化水素を２ｗｔ％Ｐｔ／２．５ｗｔ％Ｎａ２Ｏ変性γＡｌ２Ｏ３  ０．１ｇ上にポンピングする（ＣＨ３ＣＨ２ＯＨ／アセトン／セタン／Ｈ２Ｏ２／Ｈ２Ｏ＝１：０．２：０．０５：４．６：２．１；流速：０．３ｍｌ／分；室温において開始）。水素ガスが直ちに製造される。定常状態における温度は約８２０℃であり、外部加熱なしにおよそこの温度範囲に維持される。
【００８２】
主生成物は、水素および二酸化炭素である。水素収率は９５．５％であり、エタノール転化率は９９．５％である。セタン転化率は９７．８％である。製造される微量のオレフィンとメタンとが存在する。
【００８３】
実施例１２
エタノールと酢酸と過酸化水素との混合物を１．２ｗｔ％Ｐｔ０．４ｗｔＲｕ／ＳｉＯ２上に室温において開始してポンピングする。ＣＨ３ＣＨ２ＯＨ／ＣＨ３ＣＯＯＨ／Ｈ２Ｏ２／Ｈ２Ｏ＝１：０．４：３．５：１．２。室温において開始。水素ガスが直ちに製造される。定常状態における温度は約５５０℃であり、外部加熱なしにおよそこの温度に維持される。
【００８４】
主生成物は、水素および二酸化炭素である。水素収率は９７％であり、エタノール転化率は９４％である。酢酸転化率は９９．５％である。
【００８５】
以下の実施例１３〜１５において、製造される触媒とサンプルとは以下の通りである：
乾燥支持体、γアルミナおよびＺｒＯ２それぞれ１ｇを２＆Ｐｔ水溶液（（ＮＨ４）２Ｐｔ（ＮＯ３）４由来のＰｔ）１ｍｌに浸漬し、２時間静置し、過剰の水を気化し、次に５００℃において２時間焼成する。支持ＰｔＯ触媒前駆体を得る。このＰｔＯ／Ａｌ２Ｏ３およびＰｔＯ／ＺｒＯ２を１５ｍｌ／分のＨ２流中、２℃／分において４００℃まで加熱して還元した。次に、この触媒０．１ｇをシリカウールで栓をした９ｍｍ（外径）石英チューブに加える。
特定量のグルコースを７０％Ｈ２Ｏ２／Ｈ２Ｏ中に溶解して７０％Ｈ２Ｏ２／Ｈ２Ｏ中の２５％、３０％、５０％糖溶液を得る。次に、室温において、この糖／０Ｈ２Ｏ２溶液を、Ｈ２−還元触媒を加えた石英チューブにポンピングする。ガス生成物をＡｕｔｏｓｙｓｔｅｍ  ＧＣを使用して分析した。
【００８６】
実施例１３
グルコース２５％、Ｈ２Ｏ２  ５３％および水１２％からなるグルコースと過酸化水素との溶液を２Ｐｔ／γＡｌ２Ｏ３  ０．１ｇ上に液体流速０．２ｍｌ／分において室温において開始してポンピングする。定常速度における温度は約５００℃であり、外部加熱なしにおよそこの温度に維持される。水素収率は８５％であり、一酸化炭素収率は１５％であり、二酸化炭素収率は８５％である。
【００８７】
実施例１４
グルコース３５％、Ｈ２Ｏ２  ４６％および水１９％からなるグリコースと過酸化水素との溶液を２Ｐｔ／γＡｌ２Ｏ３  ０．１ｇ上に液体流速０．２ｍｌ／分において室温において開始してポンピングする。定常速度における温度は約４５０℃であり、外部加熱なしにおよそこの温度に維持される。水素収率は８５％であり、一酸化炭素収率は２０％であり、二酸化炭素収率は７８％である。
【００８８】
実施例１５
グルコース３０％、Ｈ２Ｏ２  ５０％および水２０％からなるグルコースと過酸化水素との溶液を２Ｐｔ／γＡｌ２Ｏ３  ０．１ｇ上に液体流速０．２ｍｌ／分において室温において開始してポンピングする。定常速度における温度は約３５０℃であり、外部加熱なしにおよそこの温度に維持される。水素収率は６０％であり、一酸化炭素収率は５０％であり、いくつかのＯ２が製造される。
【００８９】
実施例１６
Ｐｔ／Ａｌ２Ｏ３（Ｐｔは（ＮＨ４）Ｐｔ（ＮＯ３）４由来、４ｗｔ％、粒径：０．２ｍｍ）０．２ｇを９ｍｍ（外径）石英チューブ反応器に加える。Ｈ２Ｏ２（３８ｗｔ％／Ｈ２Ｏ（３０ｗｔ％）／と可溶性デンプン（３２ｗｔ％）との混合物をこのチューブに供給する。一旦反応物が触媒床に接触すると、触媒床温度が１５０℃に上昇し、Ｈ２、ＣＯおよびＣＯ２を含有するいくつかのガスが製造される。２時間の反応後、触媒床はいくつかの炭素付着物を有し、ガス流中にいくつかの酸素が存在する。
【００９０】
実施例１７
ＰｔＰｄ／Ａｌ２Ｏ３触媒（０．１ｇ、２ｗｔ％Ｐｔ、３ｗｔ％Ｐｄ）を９ｍｍ石英チューブに加え、Ｈ２Ｏ２（４３ｗｔ％）／Ｈ２Ｏ（１５ｗｔ％）と加熱小麦粉（４２ｗｔ％）との混合物をこの触媒に０．１５ｍｌ／分の速度でポンピングする。液体が触媒に接触すると、ガスが製造され、このガスはＯ２であると分析される。触媒床を１２０℃に加熱し、外部加熱源を除去すると、Ｈ２が６０ｍｌ／分の速度で製造される。
【００９１】
実施例１８
Ｈ２還元５ｗｔ％Ｐｄ／Ａｌ２Ｏ３  ５０ｍｇ（アルミナ上にＰｄ（ＮＯ３）２を浸漬することにより製造）を６ｍｍ（外径）石英チューブに加え、直立させる。５６ｗｔ％Ｈ２Ｏ２／２４ｗｔ％Ｈ２Ｏ／２０ｗｔ％可溶性デンプンの液体混合物を反応に供給し、触媒床に上向きに流す。一旦液体混合物が触媒床に接触すると、蒸気およびＣＯ２が製造され、触媒床温度が８５０℃に上昇する。
【００９２】
実施例１９
Ｈ２Ｏ２  ７０ｗｔ％／Ｈ２Ｏ（３０グラム）を小麦粉４グラムと混合し、撹拌し、１００℃に加熱して流動性スラリーを形成する。次に、このスラリーを、シリカチューブに加えられた２ｗｔ％Ｐｔ／ＺｒＯ２  １００ｇを含む触媒床にポンピングする。液体混合物がチューブに接触すると、いくつかの酸素が製造され、温度はたったの６０℃である。触媒床を２００℃に加熱し、次に外部加熱源を除去すると、触媒床は赤色になり、蒸気およびＣＯ２が主生成物である。触媒床温度は７００℃に達する。
【００９３】
実施例２０
Ｈ２Ｏ２  ５０％／Ｈ２Ｏ（５０ｇ）を糖４．６ｇと混合し、透明の溶液を形成する。この溶液を、１ｗｔ％Ｐｄ、２ｗｔ％Ｐｔ／ＺｒＯ２（Ｈ２で５００℃において２時間還元）０．２ｇを含む触媒床にポンピングする。一旦液体が触媒に接触すると、触媒床が赤色になる。温度は５６８℃に達し、主生成物は蒸気およびＣＯ２である。
【００９４】
実施例２１
蟻酸と過酸化水素との混合物を２ｗｔ％Ｐｔ／Ｎａ２Ｏ／ＺｒＯ２  ０．１ｇにポンピングする（ＣＨＯＯＨ／Ｈ２Ｏ２／Ｈ２Ｏ＝１：１：２（モル比）；流速＝０．２ｍｌ／分；室温において開始）。熱蒸気とＣＯ２との混合物がこのガスストリーム中ＣＯ２濃度４０ｗｔ％以下で直ちに製造され、触媒床の温度が１５０℃〜４０５℃に上昇し、外部加熱なしにこの範囲内に維持される。
【００９５】
生成物の分析は、水、水素、二酸化炭素および一酸化炭素を生成物として示す。水素収量は９９．８％超である。蟻酸転化率は１００％である。
【国際調査報告】
2009502723.tif 000002
2009502723.tif 000003
2009502723.tif 000004